(57)【要約】      （修正有）【課題】地震等の各種災害の発生前に送信される緊急放送の入手が可能となると共に災害時における商用電源の停止に対しても可動することができる緊急放送受信機を提供する。【解決手段】緊急放送を受信する緊急放送受信機で、ラジオ放送も受信でき、少なくとも商用電源からの電源の供給と乾電池又は二次電池の内蔵電池からの電源の供給ができ、必要に応じて商用電源と乾電池又は二次電池の任意のいずれかの電源を用いることのできる緊急放送受信機である。【選択図】図２
0003180065.tif 000002
【実用新案登録請求の範囲】
【請求項１】
緊急放送を受信する緊急放送受信機であって、併せてラジオ放送を受信できる緊急放送受信機であり、少なくとも商用電源から電源を供給できると共に乾電池又は二次電池を収納することができ、必要に応じて商用電源と乾電池又は二次電池の任意のいずれかの電源を用いることのできることを特徴とする緊急放送受信機。
【請求項２】
ＬＥＤ部２３を有することを特徴とする請求項１に係る緊急放送受信機。
【請求項３】
ラジオ放送を受信できると共に／又はテレビジョン放送を受信できる緊急放送受信機
からなることを特徴とする請求項１に係る緊急放送受信機。
【請求項４】
ディスプレイ部２１とスピーカー部２２とを有し、画像データと音声データを視聴可能であることを特徴とする請求項１乃至３のいずれかに記載の緊急放送受信機。
【請求項５】
ディスプレイ部２１がタッチパネルからなり、該パネルにより操作をパネル上で行えることを特徴とする請求項４に記載の緊急放送受信機。
【請求項６】
緊急放送が少なくとも緊急地震放送と緊急津波放送と緊急噴火放送を含むことを特徴とする請求項１乃至５のいずれかに記載の緊急放送受信機。
【請求項７】
緊急放送が緊急地震放送と緊急津波放送と緊急噴火放送の内の１又は２以上よりなることを特徴とする請求項１乃至５のいずれかに記載の緊急放送受信機。
【請求項８】
インターネットへ接続可能なコネクター部１２を有し、インターネットを介して緊急放送を受信するものであることを特徴とする請求項１乃至７のいずれかに記載の緊急放送受信機。
【請求項９】
他の通信機器を介してインターネットへ接続可能なコネクター部１２を有し、他の通信機器を介して緊急放送を受信するものであることを特徴とする請求項１乃至７のいずれかに記載の緊急放送受信機。
【考案の詳細な説明】
【技術分野】
【０００１】
本考案は、緊急放送受信機であり、商用電源とＤＣ電源の双方により可動するとともに緊急時に必要なラジオ受信機や電灯等の複数の機能を有する緊急放送受信機に関する。
【背景技術】
【０００２】
従来より、地震の緊急放送に関しては、直前ではあるが予め地震発生を報知して、防災の準備をする時間的猶予を与えているものである。
特に大地震等の発生が予想されている現在では極めて重要でかつ必要な情報の提供として緊急放送を受信できる機器例えばテレビ受信機等が存在している。
【０００３】
又緊急放送のための発明としては特開２０１０‐１７０４７１号（特許文献１）や特開２００９‐１０５７９６号（特許文献２）、特開２００８‐３１１７５８号（特許文献３）、特開２００７‐１３７５１号（特許文献４）、特開平９‐９３１５０号（特許文献５）等が存在する。
これらは地震発生を予め予測し、その直前に放送を行える受信機からなるものである。
【先行技術文献】
【特許文献】
【０００４】
【特許文献１】特開２０１０‐１７０４７１号
【特許文献２】特開２００９‐１０５７９６号
【特許文献３】特開２００８‐３１１７５８号
【特許文献４】特開２００７‐１３７５１号
【特許文献５】特開平９‐９３１５０号
【考案の概要】
【考案が解決しようとする課題】
【０００５】
以上の様に、緊急放送の受信機は用いられているものであり、例えば現在テレビ受信機等に内蔵されているものであって、緊急時には該放送が流れるように構成されている。
しかし、このテレビ受信機が必ずしもいずれの場所に存在しているものでもなく、又通常設置状態してあるものであって、簡単に任意場所に持ち運べるようなものではない場合が極めて多い。
【０００６】
更にテレビ等は通常商用電源を用いているものであって、大地震等に際しては商用電源が止まることが予想されるものであることから、余震等の必要な情報が入手できない可能性が予想される。
特に地震後の津波等に際しての緊急放送や情報の入手も商用電源の停止に伴い、受信や視聴できないことが予想される。
【０００７】
従って、緊急時に常時緊急放送を受信し視聴可能となると共に、商用電源が停止しても必要な情報をラジオ等から緊急情報の入手が求められるものである。
特にこの様な非常時においては各種情報を入手可能な受信機であることにより活用範囲が広がると共に災害時に要求される電灯等の灯りを同時に付けられる機器であれば、極めて実用性の高い、かつ有用な機器の提供が可能となる。
【０００８】
更には現在の緊急放送受信機に関しては、特定の地震のみを対象としているものが多いが、これに限らず前記の通りの津波や噴火等に関する緊急放送の受信を可能として、必要時にこの放送を受信でき、視聴できる機器が望まれるものである。
【課題を解決するための手段】
【０００９】
以上のように係る課題を見事に解決するため、前記課題を解決しうる緊急放送の受信が可能な緊急放送受信機を提供するものである。
係るため請求項１に係る考案は緊急放送を受信する緊急放送受信機であって、併せてラジオ放送を受信できる緊急放送受信機であり、少なくとも商用電源から電源を供給できると共に乾電池又は二次電池を収納することができ、必要に応じて商用電源と乾電池又は二次電池の任意のいずれかの電源を用いることのできる緊急放送受信機からなり、係る考案によって前記課題を解決できる。
【００１０】
又、請求項２に係る考案はＬＥＤ部を有する緊急放送受信機からなり、この様に構成しても必要な灯りをとることができる。
請求項３に係る考案はラジオ放送を受信できると共に／又はテレビジョン放送を受信できる緊急放送受信機よりなり係る考案でもよい。
【００１１】
更に、請求項４に係る考案はディスプレイ部とスピーカー部とを有し、画像データと音声データを視聴可能である緊急放送受信機からなるものである。
これらの場合請求項５に係る考案のようにディスプレイ部がタッチパネルからなり、該パネルにより操作をパネル上で行える緊急放送受信機を用いてもよい。
【００１２】
更に請求項６に係る考案のように緊急放送が少なくとも緊急地震放送と緊急津波放送と緊急噴火放送を含むものでも、或いは請求項７に係る考案のように緊急放送が緊急地震放送と緊急津波放送と緊急噴火放送の内の１又は２以上よりなる緊急放送受信機を用いてもよい。
【００１３】
又、請求項８に係る考案のようにインターネットへ接続可能なコネクター部を有し、インターネットを介して緊急放送を受信する緊急放送受信機でも、請求項９に係る考案のように、他の通信機器を介してインターネットへ接続可能なコネクター部を有し、他の通信機器を介して緊急放送を受信するものでもよい。
【考案の効果】
【００１４】
以上のように構成したことによりまず、請求項１に係る考案により緊急時における緊急放送や必要な情報を入手できる受信機の提供が行えるものであり、特に商用電源の他、乾電池や二次電池による機器内の内蔵電池によっても可動することができるものである。
これにより商用電源が災害発生に伴い停止した場合においても内蔵電池で稼働させることができる。
【００１５】
次に請求項２に係る考案により災害時等において必要な灯りを得ることができるものとなり、暗い災害時における手元の明るさを得ることができるものであって、一の機器で多様な目的に使用できるものとなる。
更に請求項３に係る考案によって本機器には情報入手手段の一つとしてラジオの他、テレビも視聴できるものである。
【００１６】
又請求項４に係る考案によって、本機器により音声データを音声としてのみならずディスプレイ部による画像データ等の各データの使用を可能とするものである。
この場合請求項５に係る考案のように該ディスプレイに触れることにより操作できることとなり、使用勝手が高まるものである。
【００１７】
更に請求項６に係る考案によって緊急時に入手できる緊急放送が緊急地震放送と緊急津波放送と緊急噴火情報であって各種の緊急放送を入手できるものとなる。
特にこれらは自然災害であり、それぞれいつ起こるか不明であるものであり、災害の事前準備を容易ならしめることのできるものであり、一の機器に多様に対処できるものとなる。更にはリンク等して起きる場合にも必要に応じて対処しうるものとなる。
【００１８】
又、請求項７に係る考案により、これらの内、必要な任意の緊急放送の受信を行うことも可能となる。
更にも請求項８に係る考案により本機器を用いてインターネットでの情報の入手が可能となり、必要情報を任意にかつ必要に応じて入手できるものである。
又請求項９に係る考案のように、他の通信機器を介してインターネットと接続して必要情報を入手するものであってももちろんよく、多様な使用態様にも適切に対応するものとなる。
【図面の簡単な説明】
【００１９】
【図１】本考案に係る緊急放送受信機の一例を示す図
【図２】本考案に係る緊急放送受信機の一例を示す図
【図３】本考案に係る緊急放送受信機の表示部の一例を示す図
【図４】本考案に係る緊急放送受信機の表示部の一例を示す図
【図５】本考案に係る緊急放送受信機の表示部の一例を示す図
【考案を実施するための形態】
【００２０】
図１は、本考案に係る緊急放送受信機の一例を示す図である。
本図に示す緊急放送受信機には本体部１と表示部２とからなるものである。
この緊急放送受信機は緊急放送の受信を可能とするとともに、ラジオ放送を受信できるものであり、又必要に応じてテレビ放送も受信できるものである。
まず表示部には本図に示すように緊急放送の映像データを映し出せるディスプレイ部２１と共に音声データを音として出せるスピーカー部２２とを有する。
【００２１】
更に暗闇等での灯りをとることのできるＬＥＤ部２３を有する。
又、緊急放送やラジオ放送等を受信できるアンテナ部２４及びコネクター部１２を有する。
次に本体部１にはスイッチ部１１とコネクター部１２と内蔵電池を収納する乾電池収納部１３とを有する。
スイッチ部１１により本機器の電源のオンとオフを切り替えられるものである。
或いは、該スイッチ部１１により商用電源と内蔵電源との切り替えを行うものであってもよい。
【００２２】
コネクター部１２は、商用電源に接続できる電源コードを接続できると共に例えば他の機器との接続を図るためのＵＳＢ端子コネクターや、携帯電話やスマートフォン等或いは各種パソコン類等の接続が可能なコネクター部１２を有する。
又、コネクター部１２を介してインターネットに接続するものであってもよい。
例えばインターネットから緊急地震放送を受信するものであってもよい。
【００２３】
この場合、本機器から直接インターネットに接続するものであっても、或いは一旦ルーターやパソコン等にコネクター部１２を介して接続してからインターネットに接続するものであってもよい。
更に、少なくとも商用電源から電源を供給できるコネクター部或いは電源コードを有して商用電源を有するものであることが必要である。
他のコネクター部１２は任意の種類について必要に応じて設ければよい。
【００２４】
これにより他の機器やインターネットへの接続が可能となる。
この場合、商用電源と接続している場合には他のコネクター部１２を介して他の機器に電源を供給可能とし、乾電池を用いた場合には本緊急放送受信機のコネクター部１２からの他の機器へは給電できないものとするものであってもよい。
又、緊急放送に関しては例えばパソコンやテレビ等の各種緊急情報受信機器に接続して用いるものであってもよい。
【００２５】
従って本機器内に該緊急情報の受信機能を有している場合に限らず、他の受信機器と接続して緊急情報を入手するものであってもよい。
以上のように、インターネットに接続可能として、緊急情報を受信可能としてもよい。
【００２６】
図２は、図１に示す本考案に係る緊急放送受信機の背面側の斜視図である。
本図に示すように本体部１には、商用電源に接続して電源を供給可能な電源コード１２０を有している。
このコード１２０は例えばコネクター１２を介して本体部１と着脱自在としているものであってもよい。
更に別途ＵＳＢコネクター等のようなコネクター部１２を有する。
【００２７】
又必要に応じて他の或いは複数のコネクター部１２を有するものであってももちろんよい。
本体部１には蓋体１４を有しており、この蓋体を外すことにより中に乾電池を収納できる乾電池収納部１３を有するものである。
尚、乾電池を収納する一例を示したが、これに限るものではなく内蔵電池としてはリチウム電池等の二次電池を用いるものであってももちろんよい。
【００２８】
又ディスプレイ部の背面にコネクター部１２を有するものであってもよい。
尚、１１はスイッチ部である。
以上のように非常にコンパクトでかつ多機能な緊急放送受信機であり、通常時には商用電源から電源を得ることができ、最初の地震等の緊急放送をいつでも聞けるものであり、又災害に基づき商用電源が停止しても内蔵電源である乾電池や二次電池により本機器を可動することができる。
【００２９】
従って、例えば地震後に発生しうる津波や噴火等の災害情報も受信できると共にこれを必要時に視聴することができることとなる。
この場合緊急放送の内容は以上のものに限定されるものではなく、必要に応じて任意の緊急放送を受信し、これを視聴できるものであればよい。
【００３０】
図３は、表示部２を示す図であり、ディスプレイ部２１を有することから必要な視覚的情報を入手して視聴できると共にスピーカ―部２２により音声を視聴できる。
更にこのディスプレイ部２１はタッチパネルからなり、必要な機器の各種操作を該パネル上で行えるものである。
尚、本図上は表示部２背面にアンテナ部２４が収納されている状態を示す。
【００３１】
図４は、ラジオ受信機として使用した場合の画面の一例を示す図であり、音量や周波数等の操作をパネル上で行えると共に必要なデータがディスプレイ部２１に表示されるものである。
もとより同様にテレビ受信機として使用してもよいものである。
【００３２】
図５は、緊急地震放送を受信し、これをディスプレイ部に視覚情報として明示している一例を示す図である。
本図のように必要データを明示できるものである。
従って必要な時に緊急放送を受信できる受信機であり、コンパクトで持ち運びなどに便利であるばかりでなく、必要情報を入手できるものである。
更には商用電源の他に内蔵電源である乾電池や二次電池を収納しておくことができ、商用電源が止まった場合でも本機器を各種情報入手用機器として用いることのできる非常に有用な機器である。
【符号の説明】
【００３３】
１        本体部
１１      スイッチ部
１２      コネクター部
１２０    電源コード
１３      電池収納部
１４      蓋体
２      表示部
２１      ディスプレイ部
２２      スピーカー部
２３      ＬＥＤ部
２４      アンテナ部
【図１】
0003180065.tif 000003
【図２】
0003180065.tif 000004
【図３】
0003180065.tif 000005
【図４】
0003180065.tif 000006
【図５】
0003180065.tif 000007